(57)【要約】【課題】鶏卵の鮮度低下を抑制できる冷蔵庫を提供する。【解決手段】冷蔵庫１に設けられる貯蔵室３内に配して貯蔵物を載置する載置棚１０と、鶏卵を保持する複数の孔部２５を有した鶏卵収納容器２１と、載置棚１０に移設自在に取り付けられるとともに鶏卵収納容器２１を位置決めして保持する保持部材３０とを備えた。【選択図】図２
2013036702.tif 000002
【特許請求の範囲】
【請求項１】
貯蔵室内に配して貯蔵物を載置する載置棚と、鶏卵を保持する複数の孔部を有した鶏卵収納容器と、前記載置棚に移設自在に取り付けられるとともに前記鶏卵収納容器を位置決めして保持する保持部材とを備えたことを特徴とする冷蔵庫。
【請求項２】
前記載置棚が前記保持部材に係合する一または複数の係合部を周部に有することを特徴とする請求項１に記載の冷蔵庫。
【請求項３】
前記係合部が一方向に延びた貫通孔から成り、前記保持部材が、上方に開放端を有したＵ字型に形成して使用者の摘持により弾性変形する摘持部と、前記摘持部から突出する複数の突起部とを有し、前記係合部の壁面の上縁及び下縁にそれぞれ前記突起部が係合することを特徴とする請求項２に記載の冷蔵庫。
【請求項４】
前記載置棚はガラスから成る平板状の載置部と前記載置部の周囲を囲む樹脂成形品から成る枠部とを有し、前記枠部に前記係合部を形成したことを特徴とする請求項２または請求項３に記載の冷蔵庫。
【請求項５】
前記鶏卵収納容器の周壁が下方に突出する脚部を有し、前記保持部材が前記脚部に嵌合する嵌合溝を有することを特徴とする請求項１〜請求項４のいずれかに記載の冷蔵庫。
【請求項６】
前記嵌合溝が貫通孔から成ることを特徴とする請求項５に記載の冷蔵庫。
【請求項７】
前記嵌合溝が屈曲して形成され、前記脚部が前記鶏卵収納容器の各コーナーに配されるとともに、直交する二方向で外面から同じ長さに形成されることを特徴とする請求項５または請求項６に記載の冷蔵庫。
【請求項８】
前記保持部材が複数の前記嵌合溝を線対称に並設されることを特徴とする請求項５〜請求項７のいずれかに記載の冷蔵庫。
【発明の詳細な説明】
【技術分野】
【０００１】
本発明は、鶏卵を保持する鶏卵収納容器を備えた冷蔵庫に関する。
【背景技術】
【０００２】
従来の冷蔵庫は特許文献１に開示されている。この冷蔵庫は冷蔵室内に設けた収納室内に前後にスライド自在の収納ケースが配され、収納ケース上に鶏卵収納容器が載置される。鶏卵収納容器の上面には複数の孔部が開口し、鶏卵は孔部に挿通して保持される。収納ケースを引き出すことによって鶏卵収納容器に対して鶏卵を出し入れすることができる。
【０００３】
また、冷蔵室を開閉する扉の背面側に設けたドアポケット内に鶏卵収納容器を設置した冷蔵庫も知られている。扉を開くことによってドアポケット内の鶏卵収納容器に対して鶏卵を出し入れすることができる。
【先行技術文献】
【特許文献】
【０００４】
【特許文献１】特開２０１１−４３２９６号公報（第３頁−第５頁、第２図）
【発明の概要】
【発明が解決しようとする課題】
【０００５】
しかしながら、上記従来の冷蔵庫によると、可動の収納ケースや扉に鶏卵収納容器が配されるため、収納ケースや扉の開閉時に鶏卵が振動する。鶏卵はカラザで支持される卵黄の周囲が抗菌作用を有する卵白により覆われる。カラザは経時変化によって強度が徐々に低下するため、鶏卵の振動によって破損する場合がある。この時、卵黄が周部に配されて鶏卵の殻から侵入する雑菌に接触し、鶏卵の鮮度低下が早められる虞があった。
【０００６】
本発明は、鶏卵の鮮度低下を抑制できる冷蔵庫を提供することを目的とする。
【課題を解決するための手段】
【０００７】
上記目的を達成するために本発明は、貯蔵室内に配して貯蔵物を載置する載置棚と、鶏卵を保持する複数の孔部を有した鶏卵収納容器と、前記載置棚に移設自在に取り付けられるとともに前記鶏卵収納容器を位置決めして保持する保持部材とを備えたことを特徴としている。この構成によると、鶏卵は鶏卵収納容器の孔部に挿通して保持される。鶏卵収納容器は載置棚の所望位置に取り付けられる保持部材によってずれないように位置決めして保持される。孔部は貫通孔により形成してもよく、非貫通孔により形成してもよい。
【０００８】
また本発明は、上記構成の冷蔵庫において、前記載置棚が前記保持部材に係合する係合部を周部に有することを特徴としている。この構成によると、載置棚の周部に係合部が設けられ、保持部材が係合部に係合して載置棚に取り付けられる。
【０００９】
また本発明は、上記構成の冷蔵庫において、前記係合部が一方向に延びた貫通孔から成り、前記保持部材が、上方に開放端を有したＵ字型に形成して使用者の摘持により弾性変形する摘持部と、前記摘持部から突出する複数の突起部とを有し、前記係合部の壁面の上縁及び下縁にそれぞれ前記突起部が係合することを特徴としている。
【００１０】
この構成によると、貫通孔から成る係合部が載置棚の例えば後端部に左右方向に延びて形成される。保持部材の摘持部は弾性変形し、係合部に挿入される。これにより、摘持部に突設した突起部が弾性によって係合部の例えば前壁の下縁と背壁の上縁とにそれぞれ係合して保持部材が固定される。また、保持部材は摘持部を摘持して係合部が延びた方向にスライドして移設させることができる。
【００１１】
また本発明は、上記構成の冷蔵庫において、前記載置棚はガラスから成る平板状の載置部と前記載置部の周囲を囲む樹脂成形品から成る枠部とを有し、前記枠部に前記係合部を形成したことを特徴としている。この構成によると、樹脂成形によって枠部及び係合部が一体に形成される。
【００１２】
また本発明は、上記構成の冷蔵庫において、前記鶏卵収納容器の周壁が下方に突出する脚部を有し、前記保持部材が前記脚部に嵌合する嵌合溝を有することを特徴としている。この構成によると、保持部材に設けた嵌合溝に鶏卵収納容器の脚部が嵌合して鶏卵収納容器が位置決めして保持される。
【００１３】
また本発明は、上記構成の冷蔵庫において、前記嵌合溝が貫通孔から成ることを特徴としている。この構成によると、鶏卵収納容器の脚部が載置棚の上面に接し、鶏卵収納容器の孔部を設けた上面が水平に配置される。
【００１４】
また本発明は、上記構成の冷蔵庫において、前記嵌合溝が屈曲して形成され、前記脚部が前記鶏卵収納容器のコーナーに配されるとともに直交する二方向に同じ長さに形成されることを特徴としている。この構成によると、鶏卵収納容器の短手方向を前後方向に設置できるとともに、長手方向を前後方向に設置できる。
【００１５】
また本発明は、上記構成の冷蔵庫において、前記保持部材が複数の前記嵌合溝を線対称に並設されることを特徴としている。この構成によると、複数の鶏卵収納容器を並設することができる。
【発明の効果】
【００１６】
本発明によると、鶏卵収納容器を位置決めして保持する保持部材が載置棚に移設自在に取り付けられるので、鶏卵収納容器に保持される鶏卵の振動を防止することができる。従って、振動によるカラザの破損を防止し、鶏卵の鮮度低下を抑制することができる。また、保持部材を移設して所望の位置に鶏卵収納容器を設置することができ、冷蔵庫の利便性を向上することができる。
【図面の簡単な説明】
【００１７】
【図１】本発明の第１実施形態の冷蔵庫を示す側面断面図
【図２】本発明の第１実施形態の冷蔵庫の載置棚を示す上面図
【図３】本発明の第１実施形態の冷蔵庫の載置棚を示す斜視図
【図４】本発明の第１実施形態の冷蔵庫の保持部材の要部を示す側面断面図
【図５】本発明の第１実施形態の冷蔵庫の保持部材の取付け時の要部を示す側面断面図
【図６】本発明の第１実施形態の冷蔵庫の鶏卵収納容器を示す斜視図
【図７】本発明の第２実施形態の冷蔵庫の載置棚を示す上面図
【図８】本発明の第２実施形態の冷蔵庫の鶏卵収納容器を示す斜視図
【発明を実施するための形態】
【００１８】
以下に本発明の実施形態を図面を参照して説明する。図１は第１実施形態の冷蔵庫を示す側面断面図である。冷蔵庫１は本体部を形成する断熱箱体２内に冷蔵室３、冷凍室４、野菜室５が上方から順に区画して設けられる。冷蔵室３の前面は回動する冷蔵室扉３ａにより開閉される。冷凍室４の前面は収納ケース４ｂと一体の引き出し式の冷凍室扉４ａにより開閉される。野菜室５の前面は収納ケース５ｂと一体の引き出し式の野菜室扉５ａにより開閉される。
【００１９】
冷蔵室３の両側壁には前後に延びる複数の設置部６が突設される。設置部６上には貯蔵物を載置する載置棚１０が橋架される。
【００２０】
図２、図３は載置棚１０を示す上面図及び斜視図である。載置棚１０は透明なガラスにより形成した平板状の載置部１２の周囲に樹脂成形品の枠部１１が配される。これにより、枠部１１の内周面は載置部１２との段差を形成して貯蔵物の落下が防止される。枠部１１と載置部１２とを透明な樹脂等によって一体に形成してもよい。
【００２１】
載置部１２の後方の枠部１１には左右方向に延びた貫通孔から成る係合部１１ａが設けられる。係合部１１ａには樹脂成形品から成る複数の保持部材３０が取り付けられる。保持部材３０は後端部で係合部１１ａに係合し、前方に延びて載置部１２上に配置される。保持部材３０上には後述する鶏卵収納容器２１の脚部２６（図６参照）が嵌合する嵌合溝３２が設けられる。
【００２２】
図４は保持部材３０の後部を示す側面断面図である。保持部材３０の後部には上方に開放端を有したＵ字型の摘持部３１が設けられる。摘持部３１は使用者が手指で摘持すると両開放端が互いに近づくように弾性変形する。摘持部３１の前面及び背面にはそれぞれ突起部３１ａ、３１ｂが突出して設けられる。
【００２３】
摘持部３１の下端を係合部１１ａに挿通すると、図５に示すように、摘持部３１が弾性変形して前面の突起部３１ａが枠部１１の下方に配される。そして、係合部１１ａの前後の壁面が摘持部３１の弾性により押圧され、係合部１１ａの前壁の下端に突起部３１ａが係合して係合部１１ａの背壁の上端に突起部３１ｂが係合する。これにより、保持部材３０は突起部３１ａ、３１ｂによって上下方向の移動が規制され、係合部１１ａに係合して取り付けられる。尚、突起部３１ａ及び突起部３１ｂを摘持部３１の前面または背面の同じ面に設け、係合部１１ａの前壁と背壁との一方の上縁及び下縁に突起部３１ａ及び突起部３１ｂがそれぞれ係合してもよい。
【００２４】
また、摘持部３１の上端を摘持すると、保持部材３０を左右方向にスライド移動して移設することができる。尚、係合部１１ａの左右方向の長さを摘持部３１の横幅に略一致して形成し、係合部１１ａを枠部１１上に複数設けてもよい。これにより、保持部材３０を複数の係合部１１ａに移設して取り付けることができる。
【００２５】
図６は鶏卵収納容器２１の斜視図を示している。鶏卵収納容器２１は下面を開放し、四隅を曲面に形成した平面視略矩形に形成される。鶏卵収納容器２１の上面には複数の孔部２５が開口し、鶏卵は孔部２５に挿通して保持される。孔部２５は貫通孔により形成してもよく、非貫通孔により形成してもよい。
【００２６】
鶏卵収納容器２１の周壁２１ａのコーナーには脚部２６が下方に突出して形成される。これにより、脚部２６間には凹部２７が形成される。脚部２６は鶏卵収納容器２１の外面から長手方向に長さＬ１で形成され、短手方向に長さＬ２で形成される。長手方向の長さＬ１は短手方向の長さＬ２よりも長くなっている。
【００２７】
図３において、保持部材３０に設けた嵌合溝３２は貫通孔から成り、屈曲した鶏卵収納容器２１の脚部２６（図６参照）に対応して円弧状に屈曲する。また、保持部材３０上には線対称に複数の嵌合溝３２が左右方向に並設される。鶏卵収納容器２１は嵌合溝３２に脚部２６が嵌合して載置棚１０上にずれないように位置決めして保持される。従って、鶏卵の振動を防止することができる。
【００２８】
この時、嵌合溝３２が貫通孔から成るため脚部２６が載置部１２に接し、鶏卵収納容器２１の孔部２５を設けた上面が水平に配置される。
【００２９】
本実施形態によると、鶏卵収納容器２１を位置決めして保持する保持部材３０が載置棚１０に移設自在に取り付けられるので、鶏卵収納容器２１に保持される鶏卵の振動を防止することができる。従って、振動によるカラザの破損を防止し、鶏卵の鮮度低下を抑制することができる。また、保持部材３０を移設して所望の位置に鶏卵収納容器２１を設置することができ、冷蔵庫１の利便性を向上することができる。
【００３０】
また、保持部材３０に係合する係合部１１ａを載置棚１０の周部に設けたので、貯蔵物の邪魔にならずに保持部材３０を容易に取り付けることができる。また、係合部１１ａを載置棚１０の中央部に設けると冷蔵室３内の美観が損なわれるため、周部に設けることによって美観を維持することができる。
【００３１】
また、保持部材３０が弾性変形する摘持部３１を有して係合部１１ａに係合する突起部３１ａ、３１ｂを有するので、保持部材３０を容易に着脱することができる。また、係合部１１ａが左右方向に延びて形成されるので摘持部３１を摘持して容易に移設することができる。従って、冷蔵庫１の利便性を向上することができる。尚、係合部１１ａを載置部１２の左右の枠部１１に形成してもよい。この時、係合部１１ａを前後方向に延びて形成してもよい。
【００３２】
また、平板状のガラスにより形成した載置部１２の周囲を囲む樹脂成形品の枠部１１に係合部１１ａを形成したので、載置部１２を安価に形成して係合部１１ａを樹脂成形によって容易に形成することができる。尚、樹脂成形品やガラスから成る載置部１２に係合部１１ａを形成してもよい。
【００３３】
また、鶏卵収納容器２１の周壁２１ａから下方に突出する脚部２６に嵌合する嵌合溝３２を保持部材３０に設けたので、鶏卵収納容器２１を位置決めして保持する保持部材３０を容易に実現することができる。
【００３４】
また、嵌合溝３２が貫通孔から成るので、脚部２６が載置棚１０上に接して鶏卵収納容器２１の上面を水平に配置することができる。従って、鶏卵を安定して保持することができる。
【００３５】
また、保持部材３０が複数の嵌合溝３２を線対称に並設されるので、複数の鶏卵収納容器２１を簡単に保持することができる。
【００３６】
次に、図７は第２実施形態の冷蔵庫１の載置棚１０を示す上面図である。説明の便宜上、前述の図１〜図６に示す第１実施形態と同様の部分は同一の符号を付している。本実施形態は鶏卵収納容器２１の脚部２６及び保持部材３０の嵌合溝３２の形状が第１実施形態と異なっている。その他の部分は第１実施形態と同様である。
【００３７】
図８は鶏卵収納容器２１の斜視図を示している。鶏卵収納容器２１の周壁２１ａの曲面に形成したコーナーには脚部２６が下方に突出して設けられる。脚部２６は鶏卵収納容器２１の外面から長手方向に長さＬ１で形成され、短手方向に長さＬ２で形成される。直交する二方向の長さＬ１、Ｌ２は同じ長さに形成される。
【００３８】
図７に示すように、保持部材３０に設けた嵌合溝３２は貫通孔から成り、屈曲した鶏卵収納容器２１の脚部２６（図８参照）に対応して円弧状に屈曲する。これにより、鶏卵収納容器２１は嵌合溝３２に脚部２６が嵌合して載置棚１０上にずれないように位置決めして保持される。従って、鶏卵の振動を防止することができる。また、鶏卵収納容器２１の短手方向を前後方向に配置する場合と長手方向を前後方向に配置する場合とに向きを９０゜変えて設置できる。
【００３９】
本実施形態によると、第１実施形態と同様の効果を得ることができる。加えて、鶏卵収納容器２１の各コーナーに配した脚部２６が直交する二方向で外面から同じ長さＬ１、Ｌ２に形成されるので、鶏卵収納容器２１の向きを９０゜変えて設置できる。従って、冷蔵庫１の利便性をより向上することができる。
【００４０】
第１、第２実施形態において、脚部２６を鶏卵収納容器２１のコーナーに設けているが、コーナーから離れた位置に長手方向または短手方向に延びて形成してよい。この時、嵌合溝３２を直線状に形成し、嵌合溝３２と脚部２６との嵌合によって鶏卵収納容器２１を位置決めして保持することができる。
【００４１】
また、載置棚１０に設けた貫通孔から成る係合部１１ａに保持部材３０が係合するが、係合部１１ａを他の形状に形成してもよい。例えば、載置棚１０に突設するリブによって保持部材３０が係合する係合部を形成してもよい。また、係合部１１ａを省き、保持部材３０の一端に設けたクリップにより載置棚１０の周部を挟持して保持部材３０を取り付けてもよい。
【産業上の利用可能性】
【００４２】
本発明によると、鶏卵収納容器を備えた冷蔵庫に利用することができる。
【符号の説明】
【００４３】
１    冷蔵庫
２    断熱箱体
３    冷蔵室
４    冷凍室
５    野菜室
６    設置部
１０    載置棚
１１    枠部
１１ａ  係合部
１２    載置部
２１    鶏卵収納容器
２１ａ  周壁
２５    孔部
２６    脚部
２７    逃げ溝
３０    保持部材
３１    摘持部
３１ａ、３１ｂ  突起部
３２    嵌合溝
【図１】
2013036702.tif 000003
【図２】
2013036702.tif 000004
【図３】
2013036702.tif 000005
【図４】
2013036702.tif 000006
【図５】
2013036702.tif 000007
【図６】
2013036702.tif 000008
【図７】
2013036702.tif 000009
【図８】
2013036702.tif 000010